(57)【要約】【課題】分光光度計において試料室蓋のパッキンの気密性と耐久性を向上させる。【解決手段】試料室の蓋５のパッキン６を軟質弾性材料から成る中空管を用いて構成し、その中空管の内部をガスで与圧するようにした。与圧用ガスはパージガスを利用し、ガス供給装置７からガス供給配管８を通してパッキン６の中空部にガスを供給すると、パッキン６は膨らみ蓋５に密接するので良好な気密性が保たれる。リリーフ弁９の設定圧を越えるガスはパージガスとして試料室３内に放出される。【選択図】        図１
2005010099.tif 000002
【特許請求の範囲】
【請求項１】
測定すべき試料を出し入れするための開口部を有する試料室と、該開口部に周設されたパッキンと、該パッキンを挟圧して前記開口部を掩覆する蓋を備えた分光光度計において、前記パッキンが軟質弾性材料から成る中空管で構成されると共に、該中空管の内部を気体で与圧する与圧手段を備えたことを特徴とする分光光度計。
【請求項２】
前記中空管の内部を与圧するための気体の供給流路に設けたリリーフ弁の排出口が前記試料室の内部に連通するように前記与圧手段が構成されていることを特徴とする請求項１に記載の分光光度計。
【発明の詳細な説明】
【０００１】
【発明の属する技術分野】
本発明は分光光度計に関し、さらに詳細には、分光光度計の試料室においてガスパージを行うための気密保持構造に関する。
【０００２】
【従来の技術】
図２に従来の分光光度計の概略構造を示す。
図において、１は分光光度計、２は試料を容れる試料セル、３は試料セル２を設置する試料室、４は試料室３に試料セル２を出し入れするための開口部、５はその蓋である。
【０００３】
一般に分光光度計１は、光源、分光器、検出器（いずれも図２では省略されている）および試料室３を有し、分析すべき試料をガラス等で作られた試料セル２に容れて試料室３内に設置し、光源から出て分光器で分光され試料を透過した光を検出器で受光することにより、その試料の吸収スペクトルを測定する。この際、外光が侵入すると正確な測定ができないので、試料室３の開口部４を蓋５によって閉ざし、外光を遮蔽する構造となっている。
【０００４】
蓋５は遮光のためだけでなく、ガスパージのために試料室３を密閉する役割をも負う。ガスパージを行うときは、試料室３の壁を貫通するガス供給配管８を通してガス供給装置７からパージガスを試料室３内に吹き込むようにする。ガスパージを効果的に行うために試料室３はできるだけ気密性の高い構造とし、特に開口部４の周縁には軟質弾性材料から成るパッキン（図示しない）を設け、これを蓋５で挟圧することで気密性を確保するようにしている。
【０００５】
分光光度計におけるガスパージの従来例としては、試料セル２の表面に結露が生じると測定上の障害となるので、試料室の内部を乾燥空気でパージするように構成したものがある（例えば、特許文献１参照）。また、波長１８５ｎｍ以下の極紫外域での測定では、空気中の酸素による紫外線吸収が測定の妨害となるので、試料室３の内部の酸素を追い出すために窒素パージが行われる。
【０００６】
【特許文献１】
特開２００１−０５６２８５号公報
【０００７】
【発明が解決しようとする課題】
従来、上記のパッキンとしては柔軟で気密性に優れた単発泡スポンジが用いられてきたが、その耐久性は十分とは言い難い。即ち、スポンジは繰り返し圧縮されることで次第に弾力が低下し、圧縮永久歪みが増大するにつれて気密性が損なわれる。この場合、増し締めしてスポンジをさらに押し潰すことで一時的には対応できるがそれも限界がある。劣化したスポンジは交換するしかないが、頻繁な交換はメンテナンス上好ましくない。
【０００８】
さらに、近年実用化された大形固体試料測定用の分光光度計では、必然的に試料室が大きく、その開口部もまた大きく開く必要がある。これに伴い、開口部周縁のパッキンの総延長も長くなり、確率的にもパッキンからのガス漏れが発生しやすくなるので、パッキンの気密性のより一層の向上が要求されるようになってきた。
【０００９】
本発明は、このような事情に鑑みてなされたものであり、頻繁に開閉される試料室蓋のパッキンの気密性と耐久性を向上させることを目的とする。
【００１０】
【課題を解決するための手段】
本発明は上記課題を解決するために、試料室蓋のパッキンを軟質弾性材料から成る中空管を用いて構成し、その中空部を気体で与圧するようにした。即ち、本発明装置は、試料を出し入れするための開口部を有する試料室と、その開口部に周設されたパッキンと、そのパッキンを挟圧して前記開口部を掩覆する蓋を備えた分光光度計において、前記パッキンが軟質弾性材料から成る中空管で構成されると共に、その中空管の内部を気体で与圧する与圧手段を備えたことを特徴とする分光光度計である。
【００１１】
このように構成したことにより、パッキンの弾力性が増して気密性が向上し、また、パッキンの材質自体を圧縮することに起因する圧縮永久歪みの発生が抑制されるから耐久性の向上も期待できる。
【００１２】
【発明の実施の形態】
図１に本発明の一実施形態を要部断面図で示す。なお、本実施形態の全体的構成は図２とほぼ同様と考えてよい。
図において、３は試料室、５はその蓋、３１は試料室３を形成する試料室ケース、６はシリコンゴム等の軟質弾性材料から成る中空のパッキンである。７はガス供給装置（例えば、ガスボンベ）、８はガス供給配管、９はリリーフ弁である。
【００１３】
パッキン６は、試料室ケース３１に固定されたパッキン受け材３２に接着されて開口部４の周囲を囲むように設けられている。この図は蓋５が閉じられた状態を示しており、この状態で蓋５のスカート部５１が試料室３の内部まで入り込むことで外光の侵入を遮断する。この状態では、パッキン６と蓋５とは軽く接するか、またはその間に多少の隙間がある程度で気密は保たれないが、ガスパージを行う必要がない場合はこれで十分である。
【００１４】
ガスパージを行うときは、ガス供給装置７からガス供給配管８を通して所要の圧力でパージガスを供給する。ガス供給配管８はパッキン６の内部空間６１に通じているので、パッキン６は内部から加圧されて膨らみ、パッキン６と蓋５とが密接するようになり、気密性が確保される。ガス供給配管８の途中に設けたリリーフ弁９の排出口９１は試料室３内に向けて開口しているので、リリーフ弁９の設定圧を越えるガスが試料室３内に放出される。これにより試料室３のガスパージが行われると共に、パッキン６に過剰な圧力が掛かることも防止できる。測定が終わりガスパージの必要が無くなったときは、ガス供給装置７側でガス供給を止めると共にリリーフ弁９を開放すればパッキン６の与圧は解除される。
【００１５】
パッキン６が与圧により膨張したとき、蓋５が押し上げられる（逃げる）ことによりパッキン６の効きが悪くなる可能性があるが、これに対処するために図示しない掛け金等を用いて蓋５と試料室ケース３１とを緊締することは設計的事項として容易に考えられる。
【００１６】
本実施形態は、パッキン６の与圧用ガスとしてパージガスを利用した例であって、これによりコスト増加を抑えて本発明を実施することができる。しかし、もし必要ならば、与圧用ガスとパージガスとを別系統で供給するように構成してもよい。その場合の与圧手段としては小型のエアーポンプ等を利用することが考えられる。
【００１７】
また、与圧用ガスを連続的に供給せずに、最初にパッキン６の内部にガスを注入した後、チェック弁等を利用してガスを封じ込めるように構成してもよい。この場合は、与圧手段としては短時間だけ作動すればよいので、手動ポンプを用いることもできる。
【００１８】
パッキン６の材質としては、多少の凹凸面にも沿って密着できる柔軟性と、内部からの加圧に耐える強靱性が要求されるので、表面に柔軟な材料を、内側に強靱な材料を用いた二重構造にしてもよい。
【００１９】
その他、図１は本発明の一例を示したものであって、本発明をこれに限定するものではない。
【００２０】
【発明の効果】
以上詳述したように本発明は、分光光度計における試料室の蓋のパッキンを中空管を以て構成し、その内部をガスで与圧するするようにしたので、パッキンとして柔軟な材料を用いながら弾力性が増すので気密性が向上し、パッキンの材質自体を圧縮することに起因する圧縮永久歪みの発生が抑制されるから耐久性の向上も期待できる。また、与圧手段として既存のパージガス供給系統を利用できるので、低コストで実施することができる。
【図面の簡単な説明】
【図１】本発明の一実施形態を示す図である。
【図２】従来の構成例を示す図である。
【符号の説明】
３  試料室
４  開口部
５  蓋
６  パッキン
７  ガス供給装置
８  ガス供給配管
９  リリーフ弁
３１  試料室ケース
３２  パッキン受け材
５１  スカート部
６１  内部空間
９１  排出口
【図１】
2005010099.tif 000003
【図２】
2005010099.tif 000004